(57)【特許請求の範囲】
【請求項１】
軸体と、頭部を有すると共にこの頭部側から押し込まれる前記軸体により弾性変形によって拡開される脚部を備えた本体とよりなるグロメットであって、
本体の脚部は二以上に分割されていると共に、
軸体は、前記押し込みにより脚部の被当接部に当接される第一当接部と、この第一当接部よりも押し込み後方側に位置される第二当接部とを備え、第一当接部により脚部の一部を拡開させた後、さらに軸体を押し込むことにより脚部の他の一部が拡開されるようになっており、
しかも、軸体の一部を本体内に納めた前記押し込み前の位置でこの軸体と本体とを仮止めする仮止め手段を備えていると共に、
この仮止め手段を、軸体の軸線を巡る方向において前記第一当接部の位置される側面部と第二当接部の位置される側面部との間となる箇所に形成されると共に、本体の頭部内における隣り合う脚部間に位置される箇所に形成された被掛合部に対し掛合される掛合部としていることを特徴とするグロメット。
【請求項２】
軸体に、本体にこの軸体を押し込みきった位置において、被掛合部に掛合される追加掛合部が設けられていることを特徴とする請求項１に記載のグロメット。
【請求項３】
掛合部及び追加掛合部は凹所であり、被掛合部は突部であることを特徴とする請求項２に記載のグロメット。
【請求項４】
掛合部となる凹所の内壁のうち、追加掛合部の側に位置される内壁が、追加掛合部の側に近づくに連れてこの掛合部となる凹所を浅くする傾斜を持っていることを特徴とする請求項３に記載のグロメット。
【発明の詳細な説明】
【技術分野】
【０００１】
この発明は、軸体とこの軸体の押し込まれる本体とよりなるグロメットの改良に関する。
【背景技術】
【０００２】
軸体とこの軸体の押し込まれる本体とよりなるピングロメットなどとも称されるグロメットがある。（特許文献１参照）かかるグロメットは、留め付け対象物に形成された貫通穴に本体の脚部を挿通させた状態から、この本体内に軸体を押し込むことにより、かかる脚部を拡開させて、かかる留め付け対象物に留め付く構造を備えている。この特許文献１に記載のグロメットにあっては、軸体の先端にはこの軸体をくびれさせる凹部が形成されており、本体内に軸体を押し込みきらない状態において、本体の脚部の先端内側に形成された爪部がこの凹部に入り込み本体と軸体とは仮止めされるようになっている。しかるに、この特許文献１に記載のグロメットにあっては、本体と軸体とをこのように仮止めさせるにあたっても、前記爪部が凹部に入り込む位置までは本体の脚部を弾性変形させながら本体内に軸体を押し込むことを要する。
【先行技術文献】
【特許文献】
【０００３】
【特許文献１】特許第４２０１２１７号公報
【発明の概要】
【発明が解決しようとする課題】
【０００４】
この発明が解決しようとする主たる問題点は、この種のグロメットを構成する本体と軸体とを、軸体の押し込み前の位置において、本体の脚部の弾性変形を生じさせずに仮止めできるようにする点にある。
【課題を解決するための手段】
【０００５】
前記課題を達成するために、この発明にあっては、グロメットを、軸体と、頭部を有すると共にこの頭部側から押し込まれる前記軸体により弾性変形によって拡開される脚部を備えた本体とよりなるグロメットであって、
本体の脚部は二以上に分割されていると共に、軸体の一部を本体内に納めた前記押し込み前の位置でこの軸体と本体とを仮止めする仮止め手段を備えており、
この仮止め手段を、軸体に形成されると共に、本体の頭部内における隣り合う脚部間に位置される箇所に形成された被掛合部に対し掛合される掛合部としているものとした。
【０００６】
前記軸体に、前記押し込みにより脚部の被当接部に当接される第一当接部と、この第一当接部よりも押し込み後方側に位置される第二当接部とを備えさせ、
第一当接部により脚部の一部を拡開させた後、さらに軸体を押し込むことにより脚部の他の一部が拡開されるようにすると共に、
仮止め手段となる掛合部を、軸体の軸線を巡る方向において前記第一当接部の位置される側面部と第二当接部の位置される側面部との間となる箇所に設けるようにしておくこともある。
【０００７】
軸体の第一当接部が被当接部に当接されない状態では脚部は弾性変形されない。次いで、軸体が第一当接部を被当接部に当接させる位置まで押し込まれると、脚部の一部のみが弾性変形により拡開される。そして、この脚部の一部が拡開されきるまでは脚部の他の一部には弾性変形が生じない。そして、軸体が第二当接部を被当接部に当接させる位置まで押し込まれると、脚部の他の一部が弾性変形により拡開される。これによりグロメットは留め付け対象物を頭部と脚部との間で挟み付けてこの留め付け対象物に留め付く。かかるグロメットにあっては、本体の脚部の一部の拡開と、他の一部の拡開とを同時に生じさせないことから、最終的な留め付け状態ではかかる脚部の一部及び他の一部を共に拡開させるようにしながら、本体への軸体の押し込み抵抗を一定値以下に抑えることができる。それと共に、前記本体と軸体とを、本体の脚部の拡開に影響を与えない箇所において、本体の脚部を拡開させる前の段階において分離しない状態（仮止め状態）におくことができる。
【０００８】
前記軸体にさらに、本体にこの軸体を押し込みきった位置において、被掛合部に掛合される追加掛合部を設けておけば、本体の脚部を拡開しきった状態をかかる被掛合部と追加掛合部との掛合により安定的に維持させることができる。
【０００９】
前記掛合部及び追加掛合部を凹所とし、被掛合部を突部とすることが、好適な実施の形態の一つとされる。この場合に、掛合部となる凹所の内壁のうち、追加掛合部の側に位置される内壁を、追加掛合部の側に近づくに連れてこの掛合部となる凹所を浅くする傾斜を持つようにしておけば、前記仮止め状態からの軸体の押し込みにより掛合部から被掛合部をスムースに抜け出させることができる。
【発明の効果】
【００１０】
この発明によれば、グロメットを構成する本体と軸体とを、軸体の押し込み前の位置において、本体の脚部の弾性変形を生じさせることなく仮止めすることができる。
【図面の簡単な説明】
【００１１】
【図１】図１はグロメットの分離斜視図である。
【図２】図２はグロメットの斜視図である。
【図３】図３は図２におけるＡ−Ａ線相当位置でのグロメットの断面図である。
【図４】図４は留め付け対象物の貫通穴にグロメットを構成する本体を挿入した様子を示した断面構成図であり、本体と軸体とは仮止め状態にあり、ａ図に対しｂ図は断面位置を９０度異ならせている。
【図５】図５は図４の状態から軸体を本体内に押し込み始めた状態を示した断面構成図であり、ａ図に対しｂ図は断面位置を９０度異ならせている。
【図６】図６は図５の状態から軸体を本体内にさらに押し込んだ状態を示した断面構成図であり、ａ図に対しｂ図は断面位置を９０度異ならせている。
【図７】図７は軸体を本体内に押し込みきった状態を示した断面構成図であり、ａ図に対しｂ図は断面位置を９０度異ならせている。
【図８】図８は図４の状態におけるグロメットの図４と異なる位置での切断端面図である。
【図９】図９は図７の状態におけるグロメットの図７と異なる位置での切断端面図である。
【図１０】図１０は図９におけるＢ−Ｂ線相当位置でのグロメットの断面図である。
【図１１】図１１はグロメットを構成する本体の平面図である。
【図１２】図１２はグロメットを構成する本体の底面図である。
【図１３】図１３はグロメットを構成する本体の側面図である。
【図１４】図１４はグロメットを構成する本体の断面図である。
【図１５】図１５はグロメットを構成する軸体の側面図である。
【図１６】図１６は図１５と９０度異なる向きから見たグロメットを構成する軸体の側面図である。
【図１７】図１７は図１５におけるＣ−Ｃ線相当位置での軸体の断面図である。
【図１８】図１８は図１５におけるＤ−Ｄ線相当位置での軸体の断面図である。
【図１９】図１９はグロメットを構成する軸体の底面図である。
【図２０】図２０は図１９におけるＥ−Ｅ線相当位置での軸体の断面図である。
【図２１】図２１は図１９におけるＦ−Ｆ線相当位置での軸体の断面図である。
【図２２】図２２はこの発明にかかるグロメットにおける軸体の押し込みストローク量と押し込み抵抗との相関関係を示した概念図である。
【発明を実施するための形態】
【００１２】
以下、図１〜図２２に基づいて、この発明の典型的な実施の形態について、説明する。この実施の形態にかかるグロメットは、軸体１とこの軸体１の押し込まれる本体２とよりなり、留め付け対象物Ｐに形成された貫通穴Ｐａに本体２の脚部２１を挿通させた状態から、この本体２内に軸体１を押し込むことにより、かかる脚部２１を拡開させて、かかる留め付け対象物Ｐに留め付くものである。典型的には、かかるグロメットは、前記貫通穴Ｐａをそれぞれ備えた複数の留め付け対象物Ｐを、この貫通穴Ｐａを連通させ合わせるように重なり合わせた状態から、これらの貫通穴Ｐａに本体２の脚部２１を挿通させて前記拡開をなすことにより、かかる複数の留め付け対象物Ｐをグロメットを介して留め合わせるように用いられる。（図７）
【００１３】
本体２は、頭部２０を有すると共にこの頭部２０側から押し込まれる前記軸体１により弾性変形によって拡開される脚部２１を備えてなる。
【００１４】
図示の例では、頭部２０は、前記貫通穴Ｐａよりも外径を大きくした円板状をなすように構成されている。一方、脚部２１は、かかる貫通穴Ｐａに挿通可能な太さを持つように構成されている。
【００１５】
脚部２１は、頭部２０の一面に脚基部２１１を一体に連接させて、この一面に直交する向きに突き出している。図示の例では、頭部２０には、略円形の軸体１の受け入れ穴２０ａが形成されている。脚部２１は、幅広の内外面を備えた細長い板状をなす同寸同形の四つの弾性脚片２１４、２１４…よりなり、この四つの弾性脚片２１４、２１４…に囲繞された軸体１の受け入れ空間２１３を前記受け入れ穴２０ａを連通させている。各弾性脚片２１４はそれぞれ、その一端を受け入れ穴２０ａの穴縁部から内方に突き出す連接部２１５の突きだし端に一体に連接させ、この一端により前記脚基部２１１を形成し、かつ、その他端により脚部２１の脚端末２１２を形成するように配されている。隣り合う弾性脚片２１４間には略等しい間隔が形成されている。前記連接部２１５は弾性脚片２１４と略等しい幅を持つように構成されている。
【００１６】
また、各弾性脚片２１４の他端側にはそれぞれ、脚部２１の内方に突き出す突部２１６が形成されている。各弾性脚片２１４の突部２１６により、前記受け入れ空間２１３は、脚部２１の脚端末２１２側において狭まっている。突部２１６は頭部２０側に向いた傾斜面２１６ａを備えている。突部２１６の頂部２１６ｂと弾性脚片２１４の他端との間は脚部２１の図示しない中心線に平行な平面２１６ｃとなっている。また、各弾性脚片２１４の外面には、その他端側にこの他端に向かうに連れて脚部２１の外径を細める向きの傾斜案内面２１４ａが形成されている。この傾斜案内面２１４ａによって留め付け対象物Ｐの貫通穴Ｐａへの本体２の脚部２１のスムースな挿通が可能となっている。
【００１７】
また、かかる脚部２１の横断面輪郭形状は、この脚部２１の外側においては仮想の円の円弧に略倣い、かつ、この脚部２１の内側においては仮想の四角形の辺に略倣うようにしてある。すなわち、前記各弾性脚片２１４はそれぞれ、その外面を前記仮想の円の円弧に倣わせた湾曲面２１４ｂとしていると共に、その内面を前記仮想の四角形の辺に倣わせた平面２１４ｃとしている。（図３、図１０、図１１）これにより、この例にあっては、脚部２１の横断面輪郭形状を内外いずれも仮想の円の円弧に倣うように構成させた場合に比し軸体１の押し込みにより脚部２１は弾性変形により拡開し易くなっている。
【００１８】
一方、前記軸体１は、前記押し込みにより脚部２１の前記突部２１６を被当接部として、この被当接部に当接される第一当接部１０と、この第一当接部１０よりも押し込み後方側に位置される第二当接部１１とを備えている。そして、かかる第一当接部１０により脚部２１の一部を拡開させた後、さらに軸体１を押し込むことにより第二当接部１１が前記被当接部に当接されて脚部２１の他の一部が拡開されるようにしてある。
【００１９】
すなわち、軸体１の一部を本体２内に納めて後述の仮止め手段により軸体１と本体２とを仮止めしているが、軸体１の第一当接部１０が被当接部に当接されない状態（以下、押し込み前の位置と称する。）では脚部２１は弾性変形されない。（図４）次いで、軸体１が第一当接部１０を被当接部に当接させる位置まで押し込まれると、脚部２１の一部のみが弾性変形により拡開される。図示の例では、このときは、脚部２１を構成する四つの弾性脚片２１４、２１４…のうち、背中合わせの位置にある二つの弾性脚片２１４のみが外側に撓み出される。（図５）そして、この脚部２１の一部が拡開されきるまでは脚部２１の他の一部となる残りの二つの弾性脚片２１４には弾性変形が生じないようになっている。そして、軸体１が第二当接部１１を被当接部に当接させる位置まで押し込まれると、脚部２１の他の一部となる残りの二つの弾性脚片２１４が弾性変形により拡開される。（図６、図７）これによりグロメットは留め付け対象物Ｐを頭部２０と脚部２１との間で挟み付けてこの留め付け対象物Ｐに留め付く。
【００２０】
この実施の形態にかかるグロメットにあっては、本体２の脚部２１の一部の拡開と、他の一部の拡開とを同時に生じさせないことから、最終的な留め付け状態ではかかる脚部２１の一部及び他の一部を共に拡開させるようにしながら、本体２への軸体１の押し込み抵抗を一定値以下に抑えることができる。図２２にその概念を示す。図２２中、横軸は軸体１の押し込みストローク量であり右に向かうほどこのストローク量は大きくなる。縦軸は押し込み抵抗力である。図２２中、一点鎖線で示すのは本体２の脚部２１の一部から生じると考えられる押し込み抵抗力であり、破線で示すのは本体２の脚部２１の他の一部から生じると考えられる押し込み抵抗力であり、実線で示すのはこの二つの抵抗力の合成抵抗力である。
【００２１】
具体的には、前記軸体１は、略角柱状をなす主体部１２と、円板状部１３とを備えている。円板状部１３の一面に主体部１２の一端が一体に連接されている。主体部１２は本体２の受け入れ穴２０ａを通じて脚部２１の受け入れ空間２１３に挿入可能な太さを持つように構成されている。円板状部１３は主体部１２の太さよりも外径を大きくさせており、本体２の頭部２０の他面にこの円板状部１３を突き当てる位置まで本体２に軸体１を押し込めるようになっている。本体２に軸体１を押し込みきった位置で前記受け入れ穴２０ａは円板状部１３によって閉塞されるようになっている。
【００２２】
軸体１の主体部１２は、その横断面形状を、この主体部１２の各所において、前記仮想の四角形に略倣わせるように構成されている。すなわち、軸体１の主体部１２は四つの側面部１２０、１２０…を備えている。図示の例では、各側面部１２０間にある隅部１２１は、軸体１の軸線方向に長く続くリブ状をなすように構成されており、各側面部１２０は左右の隅部１２１、１２１間にあって溝状を呈している。この左右の隅部１２１、１２１間の距離は弾性脚片２１４の幅寸法と略一致しており、図示の例では、各弾性脚片２１４をそれぞれ一つの側面部１２０を囲う左右の隅部１２１、１２１に納めた状態で受け入れ穴２０ａを通じて受け入れ空間２１３に軸体１がその他端側から導入されるようになっている。（図３）したがって、軸体１と本体２とを組み合わせた状態においては、頭部２０内における隣り合う連接板部２１５、２１５間に対応する軸体１の隅部１２１がそれぞれ納まるようになっている。軸体１の背中合わせの位置にある二つの側面部１２０、１２０間の距離は、本体２の脚部２１の対向位置にある二つの弾性脚片２１４、２１４における前記平面２１４ｃとして構成される内面間の距離と略一致している。
【００２３】
軸体１の主体部１２における押し込み先端となる他端側には、隣り合う前記隅部１２１の間においてこの軸体１の他端において外方に開放されるように形成されて側面部１２０の端末１２０ａを主体部１２の他端より軸体１の押し込み後方側に後退させる凹所１２２が形成されている。図示の例では、主体部１２の四つの側面部１２０、１２０…のうちの背中合わせの位置にある二つの側面部１２０がかかる凹所１２２によってその端末１２０ａを軸体１の押し込み後方側に後退させている。すなわち、主体部１２は背中合わせの位置にそれぞれ凹所１２２を備えている。この二箇所の凹所１２２、１２２の底面間の距離は、本体２の脚部２１を構成する対向位置にある二つの弾性脚片２１４の突部２１６間の距離よりも小さくなっている。
【００２４】
すなわち、この実施の形態にあっては、かかる凹所１２２により端末１２０ａを後退された側面部１２０のこの端末によって前記第二当接部１１を構成し、かつ、その余の側面部１２０の端末１２０ａによって前記第一当接部１０を構成させている。これにより、この実施の形態にあっては、かかる軸体１における第一当接部１０の形成箇所と第二当接部１１の形成箇所との間にこの軸体１の周方向において一定角度分のズレを作るようにしている。図示の例では、第一当接部１０に対し第二当接部１１は９０度異なる位置に形成されている。
【００２５】
この実施の形態にあっては、前記凹所１２２により端末１２０ａを後退された側面部１２０の中間部１２０ｂよりも端末部が係合部１２０ｃとして外側に張り出されており、第二当接部１１に突部２１６を当接されて拡開された弾性脚片２１４はこの突部２１６の頂部２１６ｂが端末部を超えた位置でやや撓み戻して、この頂部２１６ｂが係合部１２０ｃに引っかかるようになっている。（図７）
【００２６】
また、この実施の形態にあっては、グロメットは、前記軸体１の一部を本体２内に納めた前記押し込み前の位置でこの軸体１と本体２とを仮止めする仮止め手段を備えている。それと共に、この仮止め手段を、軸体１の軸線を巡る方向において前記第一当接部１０の位置される側面部１２０と第二当接部１１の位置される側面部１２０との間にあって、本体２の頭部２０内に形成された被掛合部２０ｂに対し掛合される掛合部１４としている。この実施の形態にあっては、かかる掛合部１４は第一当接部１０の位置される側面部１２０と第二当接部１１の位置される側面部１２０との間に位置される前記隅部１２１に形成されている。
【００２７】
これにより、この実施の形態にあっては、本体２と軸体１とを、本体２の脚部２１の拡開に影響を与えない箇所において、本体２の脚部２１を拡開させる前の段階においても分離しない状態におくことができる。
【００２８】
また、この実施の形態にあっては、軸体１にさらに、本体２にこの軸体１を押し込みきった位置において、被掛合部２０ｂに掛合される追加掛合部１５が設けられている。これにより、この実施の形態にあっては、本体２の脚部２１を拡開しきった状態をかかる被掛合部２０ｂと追加掛合部１５との掛合により安定的に維持させることができる。
【００２９】
かかる掛合部１４及び追加掛合部１５は、軸体１の主体部１２の前記隅部１２１にそれぞれ設けられている。したがって、追加掛合部１５は掛合部１４よりも軸体１の押し込み後方側に位置される。一方、被掛合部２０ｂは、本体２の頭部２０における受け入れ穴２０ａの穴縁部であって、隣り合う連接部２１５間に位置される箇所にそれぞれ設けられている。
【００３０】
図示の例では、軸体１の主体部１２の隅部１２１にはそれぞれ、軸体１の押し込み方向に沿った溝１２１ａが形成されている。この溝１２１ａ内には、この押し込み方向において上下に間隔を開けて三箇所の隆起部１２１ｂが形成されている。そして、軸体１の押し込み先端側に位置される隆起部１２１ｂと中間の隆起部１２１ｂとの間が前記掛合部１４となり、押し込み後方側に位置される隆起部１２１ｂと円板状部１３の間が前記追加掛合部１５となるようにしてある。
【００３１】
また、図示の例では、本体２の隣り合う連接部２１５、２１５間には、受け入れ穴２０ａの中心に向けて突き出す突部２０ｃがそれぞれ形成されている。この突部２０ｃは前記溝１２１ａに納まる大きさを持つように構成されている。また、本体２の受け入れ穴２０ａの中心を挟んで向き合う一対の突部２０ｃ、２０ｃ間の距離は、軸体１の中心を通る仮想の直線上に位置される前記溝１２１ａ間の距離と略一致するようになっている。そして、本体２内に軸体１を前記主体部１２の他端側から導入すると、第一当接部１０に弾性脚片２１４の突部２１６を接しさせる手前の位置で、頭部２０内の突部２０ｃが掛合部１４に入り込み掛合されるようになっている。（仮止め状態）そして、この仮止め状態から、本体２内に軸体１を押し込みきると頭部２０内の突部２０ｃが追加掛合部１５に入り込み掛合されるようになっている。すなわち、この実施の形態では、掛合部１４及び追加掛合部１５は凹所であり、前記突部２０ｃが被掛合部２０ｂとして機能するようになっている。
【００３２】
図示の例では、本体２の頭部２０における突部２０ｃの形成位置と頭部２０の縁部との間には、この頭部２０の中心を巡る向きに続く割溝２０ｄが形成されており、この割溝２０ｄにより突部２０ｃの形成箇所が弾性変形できるようになっている。本体２内に軸体１を前記主体部１２の他端側から導入すると、軸体１の押し込み先端側に位置される隆起部１２１ｂに突部２０ｃが当接してこの突部２０ｃの形成箇所が外側に撓みだしこの隆起部１２１ｂを突部２０ｃが乗り越える位置までの軸体１の導入が許容されると共に、この乗り越えがなされると突部２０ｃの形成箇所の撓み戻しにより掛合部１４にこの突部２０ｃが入り込み前記仮止め状態が作出される。この仮止め状態から軸体１を本体２内に押し込むと、前記中間の隆起部１２１ｂに突部２０ｃが当接してこの突部２０ｃの形成箇所が外側に撓みだしこの中間の隆起部１２１ｂを突部２０ｃが乗り越える位置までの軸体１の導入が許容されると共に、さらに軸体１を本体２内に押し込むと、前記押し込み後方側に位置される隆起部１２１ｂに突部２０ｃが当接してこの突部２０ｃの形成箇所が再び外側に撓みだしこの押し込み後方側に位置される隆起部１２１ｂを突部２０ｃが乗り越える位置までの軸体１の導入が許容され、この乗り越えがなされると突部２０ｃの形成箇所の撓み戻しにより追加掛合部１５にこの突部２０ｃが入り込む。
【００３３】
図示の例では、軸体１の押し込み先端側に位置される隆起部１２１ｂは、この押し込み先端側に向けられた側面を押し込み後方側に向かうに連れて次第に高まる傾斜面１２１ｃとしており、この隆起部１２１ｂの被掛合部２０ｂとなる突部２０ｃの乗り越えはスムースになされる。また、軸体１における前記中間の隆起部１２１ｂ及び押し込み後方側に位置される隆起部１２１ｂも、軸体１の押し込み先端側に向けられた側面を押し込み後方側に向かうに連れて次第に高まる傾斜面１２１ｃとしており、この中間の隆起部１２１ｂの被掛合部２０ｂとなる突部２０ｃの乗り越えもスムースになされる。すなわち、この実施の形態にあっては、掛合部１４となる凹所の内壁のうち、追加掛合部１５の側に位置される内壁は、追加掛合部１５の側に近づくに連れてこの掛合部１４となる凹所を浅くする傾斜を持つようになっている。
【００３４】
なお、以上に説明したグロメットにおける弾性変形特性を備えるべき箇所へのこの特性の付与は、かかるグロメットの全部又は一部を合成樹脂により構成することで容易に実現することができる。
【符号の説明】
【００３５】
１  軸体
１０  第一当接部
１１  第二当接部
２  本体
２０  頭部
２１  脚部
【図１】
0005627940.tif 000002
【図２】
0005627940.tif 000003
【図３】
0005627940.tif 000004
【図４】
0005627940.tif 000005
【図５】
0005627940.tif 000006
【図６】
0005627940.tif 000007
【図７】
0005627940.tif 000008
【図８】
0005627940.tif 000009
【図９】
0005627940.tif 000010
【図１０】
0005627940.tif 000011
【図１１】
0005627940.tif 000012
【図１２】
0005627940.tif 000013
【図１３】
0005627940.tif 000014
【図１４】
0005627940.tif 000015
【図１５】
0005627940.tif 000016
【図１６】
0005627940.tif 000017
【図１７】
0005627940.tif 000018
【図１８】
0005627940.tif 000019
【図１９】
0005627940.tif 000020
【図２０】
0005627940.tif 000021
【図２１】
0005627940.tif 000022
【図２２】
0005627940.tif 000023